(57)【要約】【課題】フープの板厚の大小にかかわらずフープを確実にクランプすることができ、操作性、取扱性、さらには外観性を向上させるとともに、フットボードのセッティング角度の変更の自由度を拡大させることができるようにしたドラム用フットペダルを提供する。【解決手段】ペダルフレーム１１にドラムフープ３をクランプするフープ押え装置３１を設ける。このフープ押え装置３１は、回動自在なフープクランプ１３と、このフープクランプ１３の前端部に貫通して高さ調整自在に設けられたボルト３７と、フープクランプ１３の下面側に回動自在に設けられたフープ挟持レバー３８と、フープクランプ１３を回動させ一定高さに保持するクランプ保持機構４１とを備え、クランプ時にフープ受け部材３２とフープ挟持レバー３８とでフープ３を挟持する。【選択図】  図１
2006343459.tif 000002
【特許請求の範囲】
【請求項１】
ペダルフレームの支柱ベース上に前後方向に回動自在に設けられたフープクランプと、このフープクランプの前端部に高さ調整自在に設けられバスドラムのフープを押圧し前記支柱ベースのフープ受け部上に固定するフープ押圧手段と、前記フープのクランプ時に前記フープクランプを回動させて保持するクランプ保持機構を備えたことを特徴とするドラム用フットペダル。
【請求項２】
前記フープ押圧手段は、フープクランプの前端部に形成したねじ孔に螺合するボルトであることを特徴とする請求項１記載のドラム用フットペダル。
【請求項３】
前記クランプ保持機構は、支柱ベースに回動自在に配設されカム面がフープクランプの後端部下面に接触するカムと、このカムを回動させるクランプ用レバーとで構成されていることを特徴とする請求項１または２記載のドラム用フットペダル。
【請求項４】
前記フープクランプの前端部下面側に設けられフープ押圧手段によってフープに押し付けられる上下方向に回動自在なフープ挟持レバーと、このフープ挟持レバーを復帰方向に付勢する付勢手段をさらに備えていることを特徴とする請求項１，２，３のうちのいずれか１つに記載のドラム用フットペダル。
【発明の詳細な説明】
【技術分野】
【０００１】
本発明は、足の踏込操作によってバスドラムのドラムヘッドを打撃するドラム用フットペダルに関するものである。
【背景技術】
【０００２】
バスドラムの演奏に用いられるこの種のドラム用フットペダルは、バスドラムのフープ（締め枠）をクランプするフープ押え装置を備えている（例えば、特許文献１〜３参照）。
【０００３】
図３および図４（ａ）〜（ｃ）に従来のドラム用フットペダルの一例を示す。このドラム用フットペダル１は、バスドラム２のフープ（締枠）３をクランプするフープ押え装置４を備え、フットボード５を踏込操作すると踏力伝達部材６が引き下げられてロッカ７をバスドラム２方向に回動させ、これによりビータロッド８の先端に取付けられているビータ９がドラムヘッド１０を打撃するように構成されている。
【０００４】
フープ押え装置４は、ペダルフレーム１１の支柱ベース１２上に前後方向に回動自在に設けられたフープクランプ１３と、このフープクランプ１３の後端側（演奏者側）に取付けられたアジャスターボルト１４と、フープ３のクランプ時にフープクランプ１３を回動させるカム機構１５等で構成されている。前記カム機構１５は、フープクランプ１３を回動させるカム１７と、このカム１７を回動させるクランプ用レバー１８とで構成されている。カム１７は側面視略矩形または楕円形（長円形）を呈しており、アジャスターボルト１４の真下に位置するように支柱ベース１２に回動軸１６を介して配設されている。また、カム１７は、外周面がカム面を形成しており、フープ３の非クランプ時においては図４（ａ）に示すように略水平な状態に保持され、上面がアジャスターボルト１４の下面に接触している。前記クランプ用レバー１８は、前記回動軸１６の一端に取付けられている。
【０００５】
フープ押え装置４によってフープ３をクランプする際には、予めアジャスターボルト１４の取付け高さをフープ３の板厚に対応してさせて調節し、支柱ベース１２のフープ受け部１２Ａとフープクランプ１３の間隔をフープ３の板厚より大きくしておく。次に、フープ３をフープ受け部１２Ａとフープクランプ１３との隙間に差し込んでフープ３の最下部をフープ受け部１２Ａ上に載置する。そして、この状態でクランプ用レバー１８を図４（ｂ）または（ｃ）に示すように時計方向に略９０°回動させてカム１７を垂直に起立させる。カム１７が起立すると、アジャスターボルト１４を押し上げるため、フープクランプ１３は軸１９を回動中心として反時計方向に回動してフープ３を押圧し、これによりフープ受け部１２Ａとフープクランプ１３とでフープ３を挟持する。なお、図３において、２０はペダルフレーム１１の左右一対の支柱２１間に回動自在に横架された回動軸、２２は回動軸２０およびロッカ７を介してフットボード５とビータ９に復帰方向の回動習性を付与する引張りコイルばねである。また、図４（ｂ）は板厚が厚いフープを挟持した状態を示す図、（ｃ）は板厚が薄いフープを挟持した状態を示す図である。
【０００６】
このようなドラム用フットペダル１におけるフットボード５のセッティング角度α（高さ）は、演奏者の好みによって異なるので、踏力伝達部材６の長さを変えることにより調節できるようになっている。この場合、フットボード５を踏み込んだときにビータ９がドラムヘッド１０に向かって移動する距離（回動角度）は一定に保持されているため、フットボード５のセッティング角度αにかかわらずフットボード５の移動する距離（下降距離）も一定である。
【０００７】
【特許文献１】特開平１１−１８４４６１号公報
【特許文献２】特開平０５−７３０３２号公報
【特許文献３】特開平０８−２４８９４９号公報
【発明の開示】
【発明が解決しようとする課題】
【０００８】
しかしながら、上記した従来のフープ押え装置４は、アジャスターボルト１４をフープクランプ１３の後端側に取付けているため、フットボード５のセッティング角度αを小さくすると、フットボード５を踏込操作したとき、フットボード５がアジャスターボルト１４や、フープクランプ１３に当たるおそれがあり、セッティング角度αの調整範囲が制約されるという問題があった。
また、アジャスターボルト１４はフットボード５の下方に位置しているため、調整時に手をフットボード５の下に差し込んでアジャスターボルト１４を回さなければならず、調整作業が煩わしいという問題もあった。
【０００９】
また、例えば上記した特許文献２や特許文献３に開示されたドラム用フットペダルが知られている。
【００１０】
特許文献２に記載されているドラム用フットペダルは、バスドラムのフープをペダルフレームに連結する連結部を鰐口状に形成した上部と下部の二部材で構成し、これら両部材を軸によって開閉自在に軸支するとともに、これら両部材にねじを貫通させて蝶ねじを螺合し、フープのクランプ時に蝶ねじを締め付けることにより鰐口状の二部材でフープを挟持するようにしたものである。しかしながら、このような構成では蝶ねじによる締付力でフープをクランプしなければならないため、大きな挟持力でフープをクランプすることが難しく、演奏時の振動等によってフープが鰐口状の２部材から外れ易いという問題があった。
【００１１】
特許文献３に記載されているドラム用フットペダルは、フープクランプ体を回動させるためのカム部材と、このカム部材を回動させるハンドル付きアジャスターボルトとからなるフープクランプ操作ユニットとを、前部フレームを備えた基台プレートの上に、ハンドル付きアジャスターボルトのある側がフットボードの側縁よりも外方に突出し、かつカム部材の先端部からハンドル付きボルトのある側に向かって斜め後方に後退した姿勢となるように取付けたものである。このような構成によればアジャスターボルトがフットボードの側方に設けられているので、フッドボードのセッティング角度を小さくしてもフットボードがアジャスターボルトと干渉せず、またフープのクランプおよびその解除をフットペダルの側方からしかもバスドラムのドラムヘッドが邪魔にならない状態で操作性よく行なうことができる利点がある。
【００１２】
しかしながら、フープクランプ操作ユニットをフットボードの側方に突出させて設けると、使用時にドラム用フットペダルのセッティングスペースが大きくなるため、他のドラムや楽器用スタンドのセッティングを制約するという問題があった。また、フットボードの側方に突出していると見栄えが悪く、大きな収納スペースを必要とするといった問題もあった。
【００１３】
本発明は上記した従来の問題を解決するためになされたもので、その目的とするところは、フープの板厚の大小にかかわらずフープを確実にクランプすることができ、操作性、取扱性を向上させるとともに見栄えも良くし、フットボードのセッティング角度の変更の自由度を拡大させることができるようにしたドラム用フットペダルを提供することにある。
【課題を解決するための手段】
【００１４】
上記目的を達成するために本発明は、ペダルフレームの支柱ベース上に前後方向に回動自在に設けられたフープクランプと、このフープクランプの前端部に高さ調整自在に設けられバスドラムのフープを押圧し前記支柱ベースのフープ受け部上に固定するフープ押圧手段と、前記フープのクランプ時に前記フープクランプを回動させて保持するクランプ保持機構を備えたものである。
【００１５】
また、本発明は、前記フープ押圧手段をフープクランプの前端部に形成したねじ孔に螺合するボルトで構成したものである。
【００１６】
また、本発明は、前記クランプ保持機構を、支柱ベースに回動自在に配設されカム面がフープクランプの後端部下面に接触するカムと、このカムを回動させるクランプ用レバーとで構成したものである。
【００１７】
さらに、本発明は、前記フープクランプの前端部下面側に設けられフープ押圧手段によってフープに押し付けられる上下方向に回動自在なフープ挟持レバーと、このフープ挟持レバーを復帰方向に付勢する付勢手段とをさらに備えたものである。
【発明の効果】
【００１８】
本発明においては、フープ押圧手段をフープクランプの前端部側に高さ調整自在に設けているので、フープ押圧手段の高さ調整作業が容易で、フットペダルの操作性、取扱性を向上させる。また、フットボードがフープ押圧手段に当たることもないので、フットボードのセッティング角度を小さく設定でき、セッティング角度の変更幅を拡大させることができる。
また、フットボードの側方に突出したりすることもないので、外観を損なわず、セッティングや収納のためのスペースを小さくすることができる。
また、本発明においては、クランプ保持機構によってフープクランプを回動させて保持するようにしているので、フープの厚さによってフープクランプのセッティング角度が変化することがなく、フットボードのセッティング角度の変更の自由度を拡大させることができる。
また、本発明においては、フープ押圧手段をボルトで構成したので、市販品を使用することができる。
また、本発明においては、フープクランプを回転軸を支点として前後方向に回動自在に設けるようにしているので、てこの原理により大きな外力をフープクランプ前端部に加えることができ、またクランプ保持機構を、フープクランプの後端部下方に回動自在に配設されたカムと、このカムを回動させるクランプ用レバーとで構成することによってもより大きな外力をフープクランプに加えることができる。
さらに、本発明においては、フープ挟持レバーをさらに備えているので、ボルトからなるフープ押圧手段に比べてフープとの接触面積を大きくすることが可能であり、フープの安定かつ確実なクランプを可能にする。
【発明を実施するための最良の形態】
【００１９】
以下、本発明を図面に示す実施の形態に基づいて詳細に説明する。
図１は本発明に係るドラム用フットペダルの要部の非クランプ時における断面図、図２（ａ）、（ｂ）は板厚の厚いフープをクランプした状態を示す断面図および板厚の薄いフープをクランプした状態を示す断面図である。なお、図３および図４に示した従来のドラム用フットペダルと同一構成部品、部分については同一符号をもって示し、その説明を省略する。
【００２０】
図１および図２において、本発明に係るドラム用フットペダル３０は、図３に示した従来のドラム用フットペダル１と同様に、正面視ロ字状のペダルフレーム１１と、演奏者の脚によって踏込操作されるフットボード５と、ドラムヘッド１０を打撃するビータ９（図３参照）等を備え、ペダルフレーム１１の支柱ベース１２に設けられバスドラム２のフープ３をクランプするフープ押え装置３１の構成が図３および図４に示したフープ押え装置４と相違している。
【００２１】
前記フープ押え装置３１は、支柱ベース１２にフープ受け部として設けられたフープ受け部材３２と、支柱ベース１２の上方に設けられたフープクランプ１３とを備えている。
【００２２】
フープ受け部材３２は、側面視で逆三角形状に形成され、支柱ベース１２の前端側に形成した凹陥部３３内に水平な軸３４によって前後方向（上下方向）に回動自在に軸支されて配設され、上面３２ａに前記フープ３が設置されるようになっている。軸３４は、両端が凹陥部３３の左右両側壁に設けた軸受孔によって回動自在に軸支され、フープ受け部材３２の前後方向中央でかつ下部寄りに設けた貫通孔を貫通している。
【００２３】
前記フープクランプ１３は、支柱ベース１２の前後方向の略全長にわたって延在する長さと適宜な幅を有し、長手方向中部付近が回動軸１９によって前後方向に回動自在に軸支されている。回動軸１９は、両端が前記支柱ベース１２の上面に突設した左右一対の軸受部（図示せず）によって回動自在に軸支されている。フープクランプ１３の前端部（バスドラム側）には、上下面に貫通するねじ孔３６が形成されており、このねじ孔３６にはフープ押圧手段を構成するボルト３７が上方から螺合し、下端部がフープクランプ１３の下方に突出している。
【００２４】
また、フープクランプ１３の前端部下面側には、フープ３のクランプ時に前記フープ受け部材３２とともにフープ３を挟持するフープ挟持レバー３８が配設されている。このフープ挟持レバー３８は、前端部が前記ボルト３７の真下に位置し、後端が前記回動軸１９によって上下方向に回動自在に軸支され、かつ付勢手段４０によって上方への復帰習性がされることにより、前端が前記ボルト３７の下面に圧接されている。付勢手段４０としては、前記回動軸１９に装着された捩りコイルばねが用いられ、その一端が支柱ベース１２に係止され、他端が前記フープ挟持レバー３８の下面に圧接されている。
【００２５】
前記フープ押え装置３１は、さらにクランプ保持機構４１を備えている。このクランプ保持機構４１は、フープ３のクランプ時に前記フープクランプ１３を回動させて一定高さに保持するための機構で、フープクランプ１３を回動させるカム１７と、このカム１７を回動させるクランプ用レバー１８とで構成されている。
【００２６】
カム１７は、側面視で矩形または長円形（楕円形）に形成されており、中央に回動軸１６が貫通する貫通孔を有し、支柱ベース１２の後端側に形成した凹陥部４３内に前記フープクランプ１３の後端部下方に位置するように配設されている。また、カム１７は、略直交する第１、第２のカム面４４ａ，４４ｂを有している。第１のカム面４４ａは、カム１７の中心に近い面で、フープ３の非クランプ時においては回動軸１６の上方に位置し、フープクランプ１３の後端部下面と接触している。一方、第２のカム面４４ｂは、カム１７の中心から遠い面で、フープ３の非クランプ時においては回動軸１６よりフープ３側に位置している。
【００２７】
回動軸１６は、前記カム１７が嵌合されて止めねじ４５により固定されており、両端部が凹陥部４３の左右両側壁に設けた軸受孔によって回動自在に軸支され、一端側に前記クランプ用レバー１８が取付けられている。クランプ用レバー１８は、フープ３の非クランプ時において、図１に示すように略垂直に起立した状態に保持されている。この状態において、フープクランプ１３は付勢手段４０によるフープ挟持レバー３８の復帰力によって時計方向に回動されることにより、後端側が前端側より低くなるように傾斜した状態に保持され、後端側下面がカム１７の第１のカム面４４ａに接触している。この状態よりクランプ用レバー１８を時計方向に略９０°回動させると、カム１７が起立して第２のカム面４４ｂがフープクランプ１３の後端部下面を押し上げるため、フープクランプ３は図２（ｂ）または（ｃ）に示すように、フープ３の板厚に関係なく一定高さに略水平な状態で保持される。なお、図１において、符号４６は図示を省略したプレートを支柱ベース１２の下面に固定するためのボルトである。
【００２８】
このような構造からなるフープ押え装置３１によってフープ３をクランプする際には、予めボルト３７の取付け高さをフープ３の板厚に対応させて調整し、フープ受け部材３２とフープ挟持レバー３８の間隔をフープ３の板厚より大きく設定、より正確にはフープ３の板厚に第１、第２のカム面４４ａ，４４ｂの高さの差を加えた値と略等しくなるように設定しておく。そして、この状態でクランプ用レバー１８を図２（ａ）または（ｂ）に示すように時計方向に略９０°回動させてカム１７を垂直に起立させる。カム１７が起立すると、第２のカム面４４ｂがフープクランプ１３の後端部下面を押し上げるため、フープクランプ１３は軸１９を回動中心として反時計方向に回動して略水平な状態に保持される。また、フープクランプ１３が回動すると、フープ挟持レバー３８もフープクランプ１３と一体的に回動してフープ３の上面を押圧し、これによりフープ受け部材３２とフープ挟持レバー３８とでフープ３を挟持する。
【００２９】
このように本発明によるドラム用フットペダル３０においては、フープ押圧手段を構成するボルト３７をフープクランプ１３の前端部側に取付けたので、バスドラム２の演奏時にフッドボード５を踏込操作しても、フットボード５がボルト３７の頭部や、フープクランプ１３の後端部に当たることがなく、ドラム用フットペダル３０の演奏性を向上させることができる。
【００３０】
また、本発明においては、フープ３の板厚に関係なくフープクランプ１３をクランプ保持機構４１によって一定高さに保持するように構成したので、ボルト３７をフープクランプ１３の前端部側に取付けたこととが相俟って従来よりも低い位置にフープクランプ１３を保持することができる。したがって、フットボード５のセッティング角度αの変更幅を拡大することができる。
【００３１】
また、本発明においては、カム１７とクランプ用レバー１８とからなるクランプ保持機構４１を備えているので、フープ３のクランプ時に小さな操作力でフープ受け部材３２とフープ挟持レバー３８に大きな挟持力を付与することができ、フープ３を確実にクランプすることができる。
【００３２】
なお、上記した実施の形態においては、フープ挟持レバー３８をフープクランプ１３の前端部下面側に設けたが、これはフープ３の広い面積を傷つけないように挟持するために用いられるものであるため、フープ押圧手段３７自体にこのような機能を付加した場合は、フープ挟持レバー３８を省略し、付勢手段４０によってフープ１３に復帰方向の回動習性を直接付与すればよい。
また、本発明においては、クランプ保持機構４１をカム１７とクランプ用レバー１８とで構成したが、これに限らず種々の変更が可能である。
【図面の簡単な説明】
【００３３】
【図１】本発明に係るドラム用フットペダルの要部の非クランプ時の断面図である。
【図２】（ａ）、（ｂ）は板厚の厚いフープをクランプした状態を示す断面図および板厚の薄いフープをクランプした状態を示す断面図である。
【図３】従来のドラム用フットペダルの側断面図である。
【図４】（ａ）、（ｂ）、（ｃ）は非クランプ時の断面図、板厚の厚いフープをクランプした状態を示す断面図および板厚の薄いフープをクランプした状態を示す断面図である。
【符号の説明】
【００３４】
２…バスドラム、３…フープ、５…フットボード、１１…ペダルフレーム、１２…支柱ベース、１２Ａ…フープ受け部、１３…フープクランプ、１７…カム、１８…クランプ用レバー、３０…ドラム用フットペダル、３１…フープ押え装置、３７…フープ押圧手段、３８…フープ挟持レバー、４０…付勢手段、４１…クランプ保持機構。
【図１】
2006343459.tif 000003
【図２】
2006343459.tif 000004
【図３】
2006343459.tif 000005
【図４】
2006343459.tif 000006